(57)【要約】【課題】簡易な構成でありながら、嵌合検知機能を実現できるレバー式電気コネクタを提供する。【解決手段】相手コネクタ１０と嵌合可能なハウジング３１と、相手コネクタ１０にハウジングを嵌合させる嵌合レバー５０と、相手コネクタ１０との嵌合が完了すると、相手ハウジング１１に係止されるレバーロック５５ａと、相手コネクタ１０の嵌合検知端子１６と接触することにより、検知回路を形成する嵌合検知端子４０と、を備える。嵌合検知端子４０は、嵌合レバー５０が嵌合完了位置に到る前までは、嵌合検知端子１６と離間した位置に規制され、嵌合レバー５０が嵌合完了位置に達すると、嵌合検知端子１６と接触することを特徴とする。【選択図】図４
2015053207.tif 000002
【特許請求の範囲】
【請求項１】
嵌合検知用の相手端子を備える相手コネクタと嵌合可能なハウジングと、
前記ハウジングに支持され、嵌合完了位置に向けて操作することによって前記相手コネクタに前記ハウジングを嵌合させる嵌合レバーと、
前記嵌合レバーに設けられ、前記相手コネクタとの嵌合が完了すると、前記相手コネクタの相手ハウジングに係止されるレバーロックと、
前記嵌合レバーに保持され、前記相手コネクタに嵌合検知用の相手端子と接触することにより、検知回路を形成する嵌合検知端子と、を備え、
前記嵌合検知端子は、
前記嵌合レバーの前記操作に追従する前記レバーロックを介して、前記相手端子と接触又は離間の動作がなされ、
前記嵌合レバーの前記操作がなされてから前記嵌合完了位置に到る前までは、前記相手端子と離間した位置に規制され、
前記嵌合レバーが前記嵌合完了位置に達すると、前記相手端子と接触する、
ことを特徴とするレバー式電気コネクタ。
【請求項２】
前記嵌合レバーは、
前記ハウジングに回動可能に支持される一対の揺動体と、
前記一対の揺動体を連結する操作体と、を備え、
前記レバーロックは、
前記嵌合レバーの動作に伴う前記操作体の変位に追従して変位し、
前記嵌合検知端子は、
前記レバーロックの変位に追従して、前記相手端子と接触又は離間の動作がなされる、
請求項１に記載のレバー式電気コネクタ。
【請求項３】
嵌合検知用の相手端子を備える相手コネクタとの嵌合が嵌合レバーの操作により行われ、
前記相手コネクタとの嵌合が完了すると、前記嵌合レバーを係止するレバーロックと、
前記相手端子と接触することにより検知回路を形成する嵌合検知端子と、を備える電気コネクタの嵌合システムであって、
前記嵌合レバーの前記操作に追従する前記レバーロックを介して、前記相手端子に対する動作がなされ、
前記嵌合レバーの前記操作がなされてから前記嵌合完了位置に到る前までは、前記相手端子と離れた位置に規制され、
前記嵌合レバーが前記嵌合完了位置に達すると、前記相手端子と接触する、
ことを特徴とする嵌合システム。
【発明の詳細な説明】
【技術分野】
【０００１】
本発明は、嵌合相手となる電気コネクタと正規に嵌合が完了したことを検知することができる電気コネクタに関する。
【背景技術】
【０００２】
電気コネクタ（以下、単に「コネクタ」ということもある）は、用途によって多極化が進んでいる。多極化されたコネクタには、コネクタ同士の嵌合を行う際及び嵌合を解除する際に大きな力が必要となるために、レバーによる倍力効果を利用して相手コネクタとの嵌合及び嵌合の解除を行うレバー式コネクタが適用されている。
一例として、レバー式コネクタ（例えば、メス型の端子を保持）のプラグハウジングにはレバーが嵌合開始位置と嵌合完了位置との間を回動するようにレバーが取り付けられ、相手コネクタ（例えば、オス型の端子を保持する）のリセプタクルハウジングにはカムピンが設けられている。レバーを嵌合開始位置に保持した状態で両ハウジングを浅く嵌合させることによりカムピンをレバーに設けられたカム溝に進入させ、その状態からレバーを嵌合完了位置まで回転させる。そうすると、カム溝とカムピンが係合するカム作用により両ハウジングが嵌合され、両コネクタの端子が電気的に接続される。
なお、回動とは時計回りの回転及び反時計回りの回転の両者が行われ得ることを言い、時計回りの回転又は反時計回りのいずれか一方の回転は、単に回転というものとする。
【先行技術文献】
【特許文献】
【０００３】
【特許文献１】特開２０１２−１５０９５９号公報
【特許文献２】特開２００９−１１７０４５号公報
【発明の概要】
【発明が解決しようとする課題】
【０００４】
レバー式コネクタは、正規に嵌合が完了していない状態で使用に供されると、コネクタとしての機能が損なわれるため、嵌合が完了しているか確認する必要がある。
コネクタの分野において、例えば特許文献１に記載されるように、機器同士の接続が正規になされた否かを検知するために、検知用の端子を設けることが知られており、特許文献２に開示されるように、レバー式のコネクタにも嵌合検知用の端子を設けることが提案されている。特許文献２に開示されるコネクタは、相手コネクタとの嵌合過程では、嵌合検知端子を相手側の嵌合検知端子から離間させ、相手コネクタと正規の嵌合がなされると、嵌合検知端子を相手側の嵌合検知端子に接触させて、検知回路を形成する。したがって、特許文献２のコネクタによると、正規に嵌合が完了しているか否かを電気的に検知できる。
【０００５】
ところが、特許文献２に開示されるコネクタは、嵌合用のレバーの動作により変位される検知アームを設け、この検知アームの動作によって、嵌合検知端子を弾性変位させて、相手側の嵌合検知端子との接触及び非接触を制御する。また、特許文献２は、検知アームを動作させるために必要な部材（押圧部、先行押圧部）を、レバーに設けている。したがって、特許文献２のコネクタは、検知アーム及び当該部材を備える構成が複雑であり、これに起因してコストを押し上げてしまう。
本発明は、このような課題に基づいてなされたもので、簡易な構成でありながら、嵌合検知機能を実現できるレバー式電気コネクタを提供することを目的とする。また、本発明は、このレバー式電気コネクタに適用される嵌合システムを提供することを目的とする。
【課題を解決するための手段】
【０００６】
かかる目的のもと、本発明のレバー式電気コネクタは、嵌合検知用の相手端子を備える相手コネクタと嵌合可能なハウジングと、ハウジングに支持され、嵌合完了位置に向けて操作することによって相手コネクタにハウジングを嵌合させる嵌合レバーと、嵌合レバーに設けられ、相手コネクタとの嵌合が完了すると、相手コネクタの相手ハウジングに係止されるレバーロックと、嵌合レバーに保持され、相手コネクタに嵌合検知用の相手端子と接触することにより、検知回路を形成する嵌合検知端子と、を備える。そして、嵌合検知端子は、嵌合レバーの操作に追従するレバーロックを介して、相手端子と接触又は離間の動作がなされ、嵌合レバーの操作がなされてから嵌合完了位置に到る前までは、相手端子と離間した位置に規制され、嵌合レバーが嵌合完了位置に達すると、相手端子と接触する、ことを特徴とする。
【０００７】
本発明のレバー式電気コネクタは、嵌合レバーを係止するのに欠かせないレバーロックを用いて嵌合検知端子を動作させるので、嵌合検知端子を動作させるために格別な部材を設ける必要がない。したがって、本発明によると、簡易な構成でありながら、嵌合検知機能を実現できるレバー式電気コネクタを提供する。
【０００８】
本発明のレバー式電気コネクタにおいて、嵌合レバーは、ハウジングに回動可能に支持される一対の揺動体と、一対の揺動体を連結する操作体と、を備え、レバーロックは、嵌合レバーの動作に伴う操作体の変位に追従して変位し、嵌合検知端子は、レバーロックの変位に追従して、相手端子に対する動作がなされることが好ましい。
この本発明のレバー式電気コネクタは、作業者が嵌合レバーを操作する際に力を加える操作体に追従してレバーロックが確実に変位されるので、レバーロックの変位に追従して嵌合検知端子は、必要な動作を確実に行なわれる。
【０００９】
本発明は、嵌合検知用の相手端子を備える相手コネクタとの嵌合が嵌合レバーの操作により行われ、相手コネクタとの嵌合が完了すると、嵌合レバーを係止するレバーロックと、相手端子と接触することにより検知回路を形成する嵌合検知端子と、を備える電気コネクタの嵌合システムとして捉えることができる。
このシステムは、嵌合レバーの操作に追従するレバーロックを介して、相手端子と接触又は離間の動作がなされ、嵌合レバーの操作がなされてから嵌合完了位置に到る前までは、相手端子と離れた位置に規制され、嵌合レバーが嵌合完了位置に達すると、相手端子と接触する、ことを特徴とする。
【発明の効果】
【００１０】
本発明のレバー式電気コネクタは、嵌合レバーを係止するのに欠かせないレバーロックを用いて嵌合検知端子を動作させるので、嵌合検知端子を動作させるのに格別な部材を設ける必要がない。したがって、本発明によると、簡易な構成でありながら、嵌合検知機能を実現できるレバー式電気コネクタを提供する。
【図面の簡単な説明】
【００１１】
【図１】本実施形態にかかるオスコネクタを示す斜視図であり、（ａ）は前方側から視た図、（ｂ）は後方側から視た図である。
【図２】（ａ）は本実施形態にかかるメスコネクタを後方側から視た斜視図であり、（ｂ）はメスコネクタのレバーを示す斜視図である。
【図３】本実施形態にかかるコネクタ組立体のレバー操作前を示し、（ａ）は平面図、（ｂ）は（ａ）のIIIｂ−IIIｂ矢視部分断面図、（ｃ）は（ａ）のIIIｃ−IIIｃ矢視部分断面図である。
【図４】本実施形態にかかるコネクタ組立体のレバー操作途中を示し、（ａ）は図３（ｂ）に対応する位置における部分の部分断面図、（ｃ）は図３（ｃ）に対応する位置における部分の部分断面図である。
【図５】本実施形態にかかるコネクタ組立体のレバー操作途中を示し、（ａ）は図３（ｂ）に対応する位置における部分の部分断面図、（ｃ）は図３（ｃ）に対応する位置における部分の部分断面図である。
【図６】本実施形態にかかるコネクタ組立体のレバー操作が完了を示し、（ａ）は図３（ｂ）に対応する位置における部分の部分断面図、（ｃ）は図３（ｃ）に対応する位置における部分の部分断面図である。
【図７】本実施形態にかかるコネクタ組立体の嵌合に寄与するカムの動作を示す図であり、（ａ−１），（ａ−２）はレバー操作前を示し、（ｂ−１），（ｂ−２）はレバー操作完了時を示している。
【発明を実施するための形態】
【００１２】
以下、添付図面を参照しながら、本発明の実施形態にかかる電気コネクタ組立体１を説明する。
［コネクタの構成］
はじめに、図１及び図２を参照して、電気コネクタ組立体１の構成について説明する。
本実施形態の電気コネクタは、相手コネクタ１０とコネクタ３０を備えている。なお、相手コネクタ１０とコネクタ３０において、互いに嵌合がなされる側を前、その反対側を後と定義する。
［相手コネクタ１０］
相手コネクタ１０は、相手ハウジング１１と、コネクタ３０との嵌合に供される嵌合フード１３と、複数本のピン型の信号端子１５と、相手コネクタ１０とコネクタ３０が正規の嵌合がなされたことを検知するための一対の嵌合検知端子１６（図４〜図６参照）と、を備えている。信号端子１５は、相手ハウジング１１に圧入により保持され、一部が嵌合フード１３の内部に配置され、他の部分は相手ハウジング１１の外側に配置される。
相手ハウジング１１は、絶縁性の樹脂を射出成形することにより形成されている。コネクタ３０のハウジング３１及び嵌合レバー５０も同様である。また、信号端子１５及び嵌合検知端子１６は、導電性及び弾性が優れる金属材料、例えば銅合金により形成されている。
【００１３】
相手コネクタ１０をより詳しく説明すると、相手ハウジング１１は、幅方向Ｘに並ぶ２つの嵌合フード１３（１３ａ，１３ｂ）を備えており、嵌合フード１３ａ，１３ｂは、一体となってコネクタ３０と嵌合される。嵌合フード１３ａ，１３ｂは、その内側にコネクタ３０の要素を受け入れる受容室１４ａ，１４ｂが設けられている。なお、２つの嵌合フード１３ａ，１３ｂを総称するときは単に嵌合フード１３といい、２つの受容室１４ａ，１４ｂを総称するときは単に受容室１４という。
【００１４】
一対の嵌合検知端子１６は、相手ハウジング１１に圧入により保持されることで、相手ハウジング１１の幅方向Ｘの一方の端部に、高さ方向Ｚに間隔をあけて平行に配置される。各々の嵌合検知端子１６は、相手ハウジング１１により保持されている部分よりも前方は嵌合フード１３ａの側面に沿って配置されており、当該部分よりも後方は、相手ハウジング１１の外側に引き出されている。相手ハウジング１１の外側に引き出される先は、検知用の機器に接続される。一対の嵌合検知端子１６は、コネクタ３０の嵌合検知端子４０が接触するまでは導通が取れないが、嵌合検知端子４０が２本の嵌合検知端子１６の双方に接触すると検知回路として機能する。
相手ハウジング１１は、一対の嵌合検知端子１６を挟む両側に一対のロック突起１７を備えている。ロック突起１７は、嵌合レバー５０のロック突起５５ｂを係止することで、相手コネクタ１０とコネクタ３０の嵌合が解除されるのを防止する。
相手ハウジング１１は、嵌合フード１３ｂにカム溝１２を備えている。カム溝１２は、嵌合フード１３ｂの嵌合フード１３ａに対向する側の上下の角部に設けられている。
カム溝１２は、コネクタ３０を嵌合する際に、嵌合レバー５０に設けられるカムピン５１ｂが挿入されることで、嵌合レバー５０が嵌合フード１３ｂに係合する。その状態から嵌合レバー５０を所定の向きに回転させると、カムピン５１ｂがカム溝１２の内部を移動することで、倍力効果を生じさせる。
【００１５】
［コネクタ３０］
コネクタ３０は、嵌合フード１３を介して相手コネクタ１０と相互に嵌合され、複数の信号端子１５と接続して信号の伝送を担う複数のソケット状の端子（以下、メス端子（図示省略））を備えている。コネクタ３０は、これら複数のメス端子を保持するハウジング３１と、ハウジング３１に回動可能に保持され、コネクタ３０を相手コネクタ１０に嵌合する際に用いられる嵌合レバー５０と、を備えるレバー式の電気コネクタである。
コネクタ３０は、相手コネクタ１０の２つの嵌合フード１３ａ，１３ｂに対応して、第１嵌合部３１ａと第２嵌合部３１ｂの二つに部分を備えている。
【００１６】
［嵌合レバー５０］
嵌合レバー５０は、ハウジング３１に回動可能に支持され、コネクタ３０を相手コネクタ１０に嵌合する際及び嵌合を解除する際に操作されることで、倍力機構として機能する。
嵌合レバー５０は、図２及び図３に示される嵌合開始位置から、図６に示される嵌合完了位置までの範囲を回動する。つまり、嵌合レバー５０を嵌合開始位置から時計回りに嵌合完了位置まで回転させると、コネクタ３０が相手コネクタ１０へ正規に嵌合され、この正規の嵌合状態から、嵌合レバー５０を嵌合完了位置から反時計回りに嵌合開始位置まで回転させると、相手コネクタ１０とコネクタ３０の嵌合を解除することができる。
【００１７】
嵌合レバー５０は、図２に示されるように、一対のカム板（揺動体）５１と、一対のカム板５１の先端部を互いに連結する操作ロッド（操作体）５３と、を備え、全体として門型をなしている。
【００１８】
各々のカム板５１は、ハウジング３１の側壁３１ｃに一体的に形成される支持軸３１ｄが挿入される軸孔５１ａが表裏を貫通して形成されている。嵌合レバー５０は支持軸３１ｄを回転中心にして、ハウジング３１に回動可能に支持される。
【００１９】
各々のカム板５１は、ハウジング３１と対向する面側（内側）に、図７に示すように、ハウジング３１の側壁３１ｃに形成されるカム溝３１ｅに挿入されるカムピン５１ｃを備えている。
また、各々のカム板５１は、内側にカムピン５１ｂを備えている。カムピン５１ｂは、軸孔５１ａ（支持軸３１ｂ）を境にして、カムピン５１ｃとは反対側の位置に設けられている。
カムピン５１ｂは相手ハウジング１１のカム溝１２に挿入され、また、カムピン５１ｃがハウジング３１のカム溝に挿入される。しかも、カム板５１（嵌合レバー５０）は、カムピン５１ｂとカムピン５１ｃの間にある軸孔５１ａ（支持軸３１ｄ）が回転の中心になる。したがって、操作ロッド５３を嵌合方向に操作すると、カムピン５１ｂがカム溝１２に沿ってその奥に向けて移動することにより、支持軸３１ｄにハウジング３１を相手コネクタ１０に押し込む力が生じ、嵌合が実現される。
【００２０】
操作ロッド５３は、図２に示すように、操作部５４と、作用部５５とを備えている。
操作部５４は、コネクタ３０を相手コネクタ１０に嵌合させる際に、嵌合の作業者がこの部分を押して嵌合レバー５０を回転させる。したがって、操作部５４は、嵌合時に嵌合レバー５０が回転する向き（以下、嵌合時の回転方向という）の後方側に設けられる。
【００２１】
作用部５５は、嵌合レバー５０が嵌合完了位置に到ると、相手コネクタ１０のロック突起１７，１７に係止されることで、嵌合を解除される向きに嵌合レバー５０が回転するのを阻止する一対のレバーロック５５ａを備えている。各々のレバーロック５５ａは、幅方向Ｘに間隔をあけて設けられており、嵌合時の回転方向の前端に、ロック突起１７に直接的に係止されるロック突起５５ｂを備えている。
ロック突起５５ｂは、嵌合レバー５０が嵌合完了位置に到ると、図６（ｂ）に示されるように、その係止面５５ｃが、ロック突起１７の係止面１７ｃと対向する。
【００２２】
作用部５５は、嵌合レバー５０が嵌合完了位置に到ると、図６（ｂ）に示されるように、相手コネクタ１０の嵌合検知端子１６と電気的に接続される嵌合検知端子４０を備えている。嵌合検知端子４０は、一対のレバーロック５５ａの間に設けられ検知端子収容室５６に保持されている。検知端子収容室５６は操作ロッド５３の内周側が開放されており、嵌合検知端子４０の大部分は外部に露出している。
検知端子収容室５６は、幅方向がレバーロック５５ａにより区画されている。また、検知端子収容室５６は、径方向を区画する上壁５６ａと、嵌合時の回転方向の前方側を区画する保持壁５６ｂとを備えている。
【００２３】
嵌合検知端子４０は、図６（ａ）に示すように、長さ方向の概略中央部分でＵ字状に屈曲する折返し部４０ｃと、折返し部４０ｃに連なる一方の側に設けられる接触部４０ａと、接触部４０ａよりも前方に設けられる係止部４０ｂと、を備えている。接触部４０ａは、上方に突出しており、相手コネクタ１０の嵌合検知端子１６と直接的に接触する部位である。また、嵌合検知端子４０は、折返し部４０ｃに連なる他方の側に支持部４０ｄを備えている。嵌合検知端子４０は、折返し部４０ｃを境にして、一方の側は二股に分岐されており、接触部４０ａと係止部４０ｂは、分岐した各々に設けられる。
【００２４】
嵌合検知端子４０は、検知端子収容室５６の内部において、他方の側の支持部４１ｄが上壁５６ａに支持される。また、嵌合検知端子４０は、係止部４０ｂが保持壁５６ｂに係止されている。したがって、コネクタ３０を嵌合する際に、レバーロック５５ａのロック突起５５ｂが相手コネクタ１０のロック突起１７に乗り上げると、折返し部４０ｃが弾性変形して、接触部４０ａは上向きに変位する。接触部４０ａは、この位置では、嵌合検知端子１６と高さ方向Ｚにおいて干渉しない。嵌合レバー５０からの負荷が解除されると、接触部４０ａは元の位置に弾性復帰する。
【００２５】
［嵌合検知端子１６と嵌合検知端子４０の接触過程］
次に、相手コネクタ１０にコネクタ３０が嵌合する際の、嵌合検知端子１６と嵌合検知端子４０が接触するに到る過程を図３〜図６を参照して説明する。
【００２６】
［嵌合操作開始前］
嵌合操作を開始するにあたり、コネクタ３０を位置決めしてから、相手コネクタ１０の嵌合フード１３に挿入する。挿入が浅い嵌合操作の開始前の段階では、図３に示すように、嵌合レバー５０はレバーロック５５ａから離れており、レバーロック５５ａ及び嵌合検知端子４０は当初の位置にある。
【００２７】
［嵌合操作途中］
コネクタ３０を、カムピン５１ｂ及びカムピン５１ｃが各々対応するカム溝に挿入されるまで押し込んだならば、嵌合レバー５０を操作して回転させる。なお、図３〜図６に示される本実施形態は、嵌合の際に、嵌合レバー５０は時計回りに回転される。
図３に示す浅く嵌合された状態から嵌合レバー５０を回転させると、図７に示すように、カムピン５１ｂがカム溝１２に沿ってその奥に向けて移動することにより、支持軸３１ｄがハウジング３１を相手コネクタ１０の嵌合フード１３の奥の嵌合完了位置に向かって押し込む。
一方、以下説明するように、嵌合レバー５０の操作に追従するレバーロック５５ａを介して、嵌合検知端子４０が動作する。
レバーロック５５ａのロック突起５５ｂは、図４，図５に示されるように、ロック突起１７の案内面１７ａを摺動しながら上向きに押し上げられる。このロック突起５５ｂの上向きの変位に追従して、保持壁５６ｂが上向きに変位することで、嵌合検知端子４０の係止部４０ｂが押し上げられるので、嵌合検知端子４０の接触部４０ａは上向きに変位する。図５に示されるように、嵌合完了位置に到る前に、嵌合検知端子４０の接触部４０ａは、前後方向Ｙには嵌合検知端子１６と干渉しうる位置まで達する。しかし、接触部４０ａの先端は、嵌合検知端子１６よりも高い位置まで押し下げられているので、嵌合検知端子１６と嵌合検知端子４０は導通しない。
【００２８】
［嵌合完了］
嵌合レバー５０をレバーロック５５ａのロック突起５５ｂが相手コネクタ１０のロック突起１７を乗り越えるまで回転させると、嵌合レバー５０は図６に示す嵌合完了位置に達する。そうすると、コネクタ３０は相手コネクタ１０の嵌合フード１３の奥まで移動し、相手コネクタ１０とコネクタ３０の嵌合が完了する。
押し上げられていたレバーロック５５ａは、当初の位置に弾性復帰するので、嵌合検知端子４０も当初の位置に向けて弾性復帰し、接触部４０ａは、嵌合検知端子１６に接触する。こうして嵌合検知端子１６と嵌合検知端子４０により検知回路が形成されるので、嵌合検知端子４０に接続された嵌合機器によって、両者の導通を通じて、相手コネクタ１０とコネクタ３０が正規の嵌合がなされたことを認識することができる。
一方、ロック突起５５ｂがロック突起１７と相互に係止されることで、嵌合レバー５０が嵌合解除の向きへ回転するのが規制される。
【００２９】
［効果］
以上説明したように、電気コネクタ組立体１は、相手コネクタ１０へのコネクタ３０の嵌合開始から嵌合完了位置に到る前までの嵌合途中においては、コネクタ３０に設けられる嵌合検知端子４０が相手コネクタ１０の嵌合検知端子１６に接触しないが、嵌合完了位置に到るとはじめて嵌合検知端子４０が嵌合検知端子１６に接触する。したがって、本実施形態によると、作業者が嵌合レバー５０の操作を嵌合途中で止めてしまった場合には、導通が検知されないので正規の嵌合に到っていないことを認識しできるのに加えて、正規の嵌合に到ると導通が検知されるので嵌合が完了していることを認識できる。
【００３０】
コネクタ３０は、嵌合レバー５０を係止するレバーロック５５ａを用いて嵌合検知端子４０を動作させる。そもそも嵌合レバー５０及びレバーロック５５ａはレバー式電気コネクタとして必要な要素であり、コネクタ３０はこの要素を用いて嵌合検知端子４０を動作させるので、嵌合検知端子４０を動作させるのに格別な要素を設ける必要がない。したがって、コネクタ３０によると、簡易な構成でありながら、嵌合検知機能を実現できるレバー式電気コネクタを提供する。
【００３１】
また、コネクタ３０は、作業者が嵌合レバー５０を操作する際に力を加える操作ロッド５３に追従してレバーロック５５ａを確実に変位できるので、レバーロック５５ａの変位に追従する嵌合検知端子４０は、必要な動作が確実に行なわれる。
【００３２】
以上、本発明の好ましい実施形態を説明したが、本発明の主旨を逸脱しない限り、上記実施の形態で挙げた構成を取捨選択したり、他の構成に適宜変更することが可能である。
相手コネクタ１０及びコネクタ３０の構造は例示にすぎず、例えば、嵌合フードは２つに限らず１以上の任意の数にできる。また、嵌合検知端子４０も、相手コネクタ１０の嵌合検知端子１６とともに検知回路を構成するとともに、嵌合の過程で必要な動作が行えるのであれば、その構造は問われない。
【符号の説明】
【００３３】
１      電気コネクタ組立体
１０    相手コネクタ
１１    相手ハウジング
１１ａ，１１ｂ  側壁
１１ｃ  内面
１２    カム溝
１３，１３ａ，１３ｂ  嵌合フード
１４，１４ａ，１４ｂ  受容室
１５    信号端子
１６    嵌合検知端子
１７    ロック突起
１７ｃ  係止面
３０    コネクタ
３１    ハウジング
３１ａ  第１嵌合部
３１ｂ  第２嵌合部
３１ｃ  側壁
３１ｄ  支持軸
４０    嵌合検知端子
４０ａ  接触部
４０ｂ  係止部
４０ｃ  折返し部
４０ｄ  変位規制部
５０    嵌合レバー
５１    カム板
５１ａ  軸孔
５１ｂ，５１ｃ  カムピン
５３    操作ロッド（操作体）
５４    操作部
５５    作用部
５５ａ  レバーロック
５５ｂ  ロック突起
５５ｃ  係止面
５６    検知端子収容室
５６ａ  上壁
５６ｂ  保持壁
【図１】
2015053207.tif 000003
【図２】
2015053207.tif 000004
【図３】
2015053207.tif 000005
【図４】
2015053207.tif 000006
【図５】
2015053207.tif 000007
【図６】
2015053207.tif 000008
【図７】
2015053207.tif 000009